(57)【要約】【課題】排水量を調整することにより、吐水と排水の流量の比率を変更できるので、初期設定の一定の供給電圧では設定ｐＨ値のイオン水を十分に生成できない水質においても初期設定の一定の供給電圧に対して生成されるｐＨ値を簡便に調整することができ水質への対応性、実用性に優れ、電極板の電解電圧を上げる必要がなく省エネルギー性に優れ、カルシウム化合物の添加量の使用を抑えることができ、初期設定の一定の供給電圧で設定ｐＨ値のイオン水を十分に生成できる水質においては排水量を減らすことができる経済性、使用性に優れたアルカリイオン整水器を提供することを目的とする。【解決手段】電解槽７に連通しアルカリイオン水又は酸性イオン水が排水される排水管１１を備えているアルカリイオン整水器であって、排水管１１に配設された流量調整部２１を備えている。【選択図】図１
2006082022.tif 000002
【特許請求の範囲】
【請求項１】
電解槽に連通しアルカリイオン水又は酸性イオン水が排水される排水管を備えているアルカリイオン整水器であって、前記排水管に配設された流量調整部を備えていることを特徴とするアルカリイオン整水器。
【請求項２】
電解槽に連通しアルカリイオン水又は酸性イオン水が排水される排水管を備えているアルカリイオン整水器であって、前記排水管に連通して分岐配設されたアルカリイオン水専用排水管と酸性イオン水専用排水管と、前記排水管又は前記アルカリイオン水専用排水管と前記酸性イオン水専用排水管に配設された流量調整部を備えていることを特徴とするアルカリイオン整水器。
【請求項３】
前記排水管に配設された前記流量調整部が、前記排水管に連通して並列に配設された少なくとも１以上の流量調整通水路と、前記流量調整通水路を開閉する通水路開閉弁と、を備えていることを特徴とする請求項１又は２に記載のアルカリイオン整水器。
【請求項４】
前記アルカリイオン水専用排水管と前記酸性イオン水専用排水管に配設された前記流量調整部が、前記アルカリイオン水専用排水管と前記酸性イオン水専用排水管に連通して並列に配設された少なくとも１以上の流量調整通水路と、前記流量調整通水路を開閉する通水路開閉弁と、を備えていることを特徴とする請求項２に記載のアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン水生成器としてアルカリイオン整水器が普及している。このアルカリイオン整水器は、電解槽内で水道水等を電気分解して、陽極側に酸性イオン水を生成し、陰極側にアルカリイオン水を生成するものである。
【０００３】
以下、従来の連続電解方式のアルカリイオン整水器について説明する。
【０００４】
図３は従来のアルカリイオン整水器の概略構造図である。１は水道水等の原水管２に水栓３を介して接続されたアルカリイオン整水器、４は内部に原水中の残留塩素、トリハロメタン、カビ臭等を吸着する活性炭及び一般細菌や不純物を精度よく取り除く中空糸膜等を備えた浄水部、５は通水を確認し、コントローラに制御指示する流量検知手段、６はグリセロリン酸カルシウムや乳酸カルシウム等のカルシウムイオンを原水中に付与し原水導電率を高めるカルシウム供給部、７は流量検知手段５を経由してきた水を電気分解してアルカリイオン水、酸性イオン水を生成する電解槽、８は電解槽７内を２分し、電極室を形成する隔膜、９及び１０は隔膜８で２分されて形成された各電極室に配置された電極板、１１は電極板１０側の水（電極板１０が陽極の場合は酸性イオン水）を排出する排水管、１２は排水管１１に連通して分岐配設された酸性イオン水を排出する酸性イオン水専用排水管、１３は排水管１１に連通して分岐配設されたアルカリイオン水を排出するアルカリイオン水専用排水管、１４は、電極板１０が陰極の場合、電極板１０側の水をアルカリイオン水専用排水管１３へ流す為の電磁弁を用いた酸性イオン水側開閉弁、１５は、電極板１０が陽極の場合、電極板１０側の水を酸性イオン水専用排水管１２へ流す為の電磁弁を用いたアルカリイオン水側開閉弁、１６は電極板９側の水（電極板９が陰極の場合はアルカリイオン水）を吐出する吐水管、１７は電源投入用プラグ、１８は電源投入用プラグ１７からの交流電源を直流電源に変換する電源部、１９はアルカリイオン整水器１の動作を制御するコントローラ、２０は利用者がイオン水の水質やｐＨ強度、各種機能の選択設定を行う操作表示部でありコントローラ１９に接続されている。
【０００５】
次に、以上のように構成された従来のアルカリイオン整水器１について、以下その動作を説明する。
【０００６】
利用者はアルカリイオン水生成モード、酸性イオン水生成モードまたは浄水モード等所望の水質モードおよびｐＨ強度を操作表示部２０の所定のボタンを押下することにより選択し、水栓３を開いて通水を行う。水栓３から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１７からはＡＣ１００Ｖが供給され、電源部１８内のトランス及び制御用直流電源で電気分解に必要な直流電圧電流を発生させ、コントローラ１９を介して電解槽７の電極板９及び１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリイオン水生成モード時においては電極板１０が陽極となり、電極板９が陰極となる。また酸性イオン水生成モード時においては電
極板９が陽極となり、電極板１０が陰極となる。通水後コントローラ１９は流量検知手段５からの出力信号を読み取り、単位時間当たりにアルカリイオン整水器１に流れる流量レベルが一定量を越えるとこの状態を通水中と判断する。この時、すでに選択されている水質モードおよびｐＨ強度に応じた電気分解条件のもとコントローラ１９は電解槽７に対して所定の電力を供給する。これにより、アルカリイオン水生成モード時においては電極板９が陰極かつ電極板１０が陽極となり吐水管１６よりアルカリイオン水が吐出され、排水管１１を通り酸性イオン水が排出される。この酸性イオン水は、酸性イオン水側開閉弁１４が「開」、アルカリイオン水側開閉弁１５「閉」となり、酸性イオン水専用排水管１２より排出される。
【０００７】
酸性イオン水生成モード時においては電極板９が陽極かつ電極板１０が陰極となり吐水管１６より酸性イオン水が吐出され、排水管１１を通りアルカリイオン水が排出される。このアルカリイオン水は、酸性イオン水側開閉弁１４が「閉」、アルカリイオン水側開閉弁１５が「開」となり、アルカリイオン水専用排水管１３より排出される。また、浄水モード時においては電極板９及び１０には電力が供給されず吐水管１６より浄水が吐出される。この時、酸性イオン水側電磁弁１４、アルカリイオン水側電磁弁１５共に「閉」となり、排水管より水は排水されない。
【０００８】
また、アルカリイオン水生成モード、及び、酸性イオン水生成モードにおいては、単位時間当たりにアルカリイオン整水器本体１に流れる流量レベル毎に、一定のｐＨ値を得る為に、コントローラ１９を介して電解槽７の電極板９及び１０に電気分解に必要な電力が給電される。
【０００９】
この時、吐水と排水の流量比率は吐水管１６と排水管１１又は酸性イオン水専用排水管１２及びアルカリイオン水専用排水管１３の径の比率で決まっている。すなわち、必要以上に排水してしまうことは水資源の無駄になってしまうことから、所定のｐＨ値を確保できる最低限度の排水量を設定しており、吐水管１６の径より排水管１１又は酸性イオン水専用排水管及びアルカリイオン水専用排水管１３の径は小さく形成されており、吐水と排水の流量比率は通常３：１〜５：１に設定されている。
【特許文献１】特開平８−２２９５５７号公報
【特許文献２】特開平８−２５７５６６号公報
【発明の開示】
【発明が解決しようとする課題】
【００１０】
しかしながら、上記従来の技術では以下のような課題を有していた。
【００１１】
アルカリイオン整水器の利用者の使用する地域の水がアルカリイオン水または酸性イオン水を生成する場合に、例えば原水導電率が極端に低い場合は電気分解に必要な電力が給電されても電気分解に必要な電流が流れず、また、原水のアルカリ度が高い場合は酸性イオン水が生成し難く、原水の酸性度が高い場合はアルカリイオン水を生成し難い。このような場合、吐水と排水の流量比率が一定に固定されているため、初期設定の一定の供給電圧では生成されるｐＨ値を調整することができないため、電極板の電解電圧を上げる必要があり、省エネルギー性に欠け、電極板の消耗を早めるという課題を有していた。
【００１２】
原水導電率を高めるためカルシウム化合物の添加量を増やす必要があり、煩雑で、運転コストが増えるという課題を有していた。
【００１３】
吐水と排水の流量比率が一定に固定されているため、アルカリイオン整水器の利用者の使用する地域の水が設定ｐＨ値に近い場合等、初期設定の一定の供給電圧で設定ｐＨ値のイオン水を十分に生成できる水質の場合においても排水量を減らすことができず、水資源
の節約性、経済性に欠けるという課題を有していた。
【００１４】
本発明は、上記従来の課題を解決するもので、排水量を調整することにより、吐水と排水の流量の比率を変更できるので、初期設定の一定の供給電圧では設定ｐＨ値のイオン水を十分に生成できない水質においても初期設定の一定の供給電圧に対して生成されるｐＨ値を簡便に調整することができ水質への対応性、実用性に優れ、電極板の電解電圧を上げる必要がなく省エネルギー性に優れ、カルシウム化合物の添加量の使用を抑えることができ、初期設定の一定の供給電圧で設定ｐＨ値のイオン水を十分に生成できる水質においては排水量を減らすことができる経済性、使用性に優れたアルカリイオン整水器を提供することを目的とする。
【課題を解決するための手段】
【００１５】
上記課題を解決するために本発明のアルカリイオン整水器は、電解槽に連通しアルカリイオン水又は酸性イオン水が排水される排水管を備えているアルカリイオン整水器であって、排水管に配設された流量調整部を備えた構成を有している。
これにより、流量調整部において排水流量を調整することにより、吐水と排水の流量比率が変更できるので、設定ｐＨ値のイオン水を十分に生成できない水質においても初期設定の一定の供給電圧に対して生成されるｐＨ値を簡便に調整することができ対応性、実用性に優れ、電極板の電解電圧を上げる必要がなく省エネルギー性に優れ、カルシウム化合物の添加量の使用を抑えることができ、設定ｐＨ値のイオン水を十分に生成できる水質においては排水量を減らすことができる経済性、使用性に優れたアルカリイオン整水器を提供することができる。
【発明の効果】
【００１６】
以上説明したように本発明のアルカリイオン整水器によれば、以下のような有利な効果が得られる。
【００１７】
請求項１に記載の発明によれば、排水管に配設された流量調整部により、吐水と排水の流量比率を変更できるので、初期設定の一定の供給電圧に対して生成されるｐＨ値を簡便に調整することができる対応性、実用性に優れたアルカリイオン整水器を提供することができる。
【００１８】
排水管に配設された流量調整部により、吐水と排水の流量比率を変更できるので、初期設定の一定の供給電圧に対して生成されるｐＨ値を簡便に調整することができるため、電極板の電解電圧を上げる必要がなく、省エネルギー性に優れ、電極板の消耗を防ぎ電極板の耐久性に優れたアルカリイオン整水器を提供することができる。
【００１９】
排水管に配設された流量調整部により、吐水と排水の流量比率を変更できるので、初期設定の一定の供給電圧に対して生成されるｐＨ値を簡便に調整することができるため、原水導電率を高めるためカルシウム化合物の添加量を増やす必要のないカルシウム化合物の節約性に優れたアルカリイオン整水器を提供することができる。
【００２０】
排水管に配設された流量調整部により、吐水と排水の流量比率を変更できるので、初期設定の一定の供給電圧で設定ｐＨ値のイオン水を十分に生成できる水質の場合は排水量を減らすことができ、水資源の節約性、経済性に優れたアルカリイオン整水器を提供することができる。
【００２１】
請求項２に記載の発明によれば、排水管に連通して分岐配設されたアルカリイオン水専用排水管と酸性イオン水専用排水管により、排水がアルカリイオン水か酸性イオン水か誤る虞がなく、利用者の用途に応じて簡便に使い分けできる使用性に優れたアルカリイオン
整水器を提供することができる。
【００２２】
排水管又はアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができる対応性、実用性に優れたアルカリイオン整水器を提供することができる。
【００２３】
排水管又は排水管に連通して分岐配設されたアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができるため、電極板の電解電圧を上げる必要がなく、省エネルギー性に優れ、電極板の消耗を防ぎ電極板の耐久性に優れたアルカリイオン整水器を提供することができる。
【００２４】
排水管又は排水管に連通して分岐配設されたアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができるため、原水導電率を高めるためカルシウム化合物の添加量を増やす必要のないカルシウム化合物の節約性に優れたアルカリイオン整水器を提供することができる。
【００２５】
排水管又は排水管に連通して分岐配設されたアルカリイオン水専用排水管と酸性イオン水専用排水管に配設された流量調整部により、吐水と排水の流量比率を変更できるので、初期設定の一定の供給電圧で設定ｐＨ値のイオン水を十分に生成できる水質の場合は排水量を減らすことができ、水資源の節約性、経済性に優れたアルカリイオン整水器を提供することができる。
【００２６】
請求項３に記載の発明によれば、請求項１又は２の効果に加え、排水管に配設された流量調整部が備える排水管に連通して並列に配設された少なくとも１以上の流量調整通水路により、排水管を流れる排水を分流させることができる。
【００２７】
流量調整通水路を開閉する通水路開閉弁により、排水管の開閉度合いを調整することにより排水流量を調整する必要がなく、単に通水路開閉弁を開閉するだけで簡便に排水流量を調整できる。
【００２８】
請求項４に記載の発明によれば、請求項２の効果に加え、アルカリイオン水専用排水管と酸性イオン水専用排水管に配設された流量調整部が備えるアルカリイオン水専用排水管と酸性イオン水専用排水管に連通して並列に配設された少なくとも１以上の流量調整通水路により、アルカリイオン水専用排水管と酸性イオン水専用排水管を流れる排水を分流させることができる。
【００２９】
流量調整通水路を開閉する通水路開閉弁により、アルカリイオン水専用排水管と酸性イオン水専用排水管の開閉度合いを調整することにより排水流量を調整する必要がなく、単に通水路開閉弁を開閉するだけで簡便に排水流量を調整できる。
【発明を実施するための最良の形態】
【００３０】
本発明は、上記従来の課題を解決するもので、排水量を調整することにより、吐水と排水の流量の比率を変更できるので、設定ｐＨ値のイオン水を十分に生成できない水質においても初期設定の一定の供給電圧に対して生成されるｐＨ値を簡便に調整することができ対応性、実用性に優れ、電極板の電解電圧を上げる必要がなく省エネルギー性に優れ、カルシウム化合物の添加量の使用を抑えることができ、設定ｐＨ値のイオン水を十分に生成できる水質においては排水量を減らすことができる経済性、使用性に優れたアルカリイオ
ン整水器を提供することを目的という目的を、排水管に流量調整部を配設することにより実現した。
【００３１】
上記課題を解決するためになされた第１の発明は、電解槽に連通しアルカリイオン水又は酸性イオン水が排水される排水管を備えているアルカリイオン整水器であって、排水管に配設された流量調整部を備えた構成を有している。
【００３２】
この構成により、以下の作用を有する。
排水管に配設された流量調整部により排水流量を簡便に調整することができる。
【００３３】
排水管に配設された流量調整部により、吐水と排水の流量比率を変更できるので、初期設定の一定の供給電圧に対して生成されるｐＨ値を簡便に調整することができる。
【００３４】
排水管に配設された流量調整部により、吐水と排水の流量比率を変更できるので、初期設定の一定の供給電圧に対して生成されるｐＨ値を簡便に調整することができるため、電極板の電解電圧を上げて生成されるｐＨ値を調整する必要がなく、省エネルギー性及び電極板の耐久性を向上させることができる。
【００３５】
排水管に配設された流量調整部により、吐水と排水の流量比率を変更できるので、初期設定の一定の供給電圧に対して生成されるｐＨ値を簡便に調整することができるため、原水導電率を高めるためカルシウム化合物の添加量を増やす必要がなく、カルシウム化合物を節約することができる。
【００３６】
排水管に配設された流量調整部により、吐水と排水の流量比率を変更できるので、初期設定の一定の供給電圧で設定ｐＨ値のイオン水を十分に生成できる水質の場合は排水量を減らすことができ、水資源の節約性、経済性を向上させることができる。
【００３７】
ここで、排水管に配設された流量調整部としては、排水管の開閉度合いを調整する流量調整弁が用いられる。流量調整弁としては、手動式のものや電磁式等のものが好適に用いられ、流量調整弁の開閉度合いを調整することにより排水流量を調整することができる。また、電解槽に連通した排水管は吐水と排水の流量比率を１：１〜３：１にする径の排水管が好適に用いられる。排水量の比率が吐水量より多くなると水資源の節約性に欠け好ましくなく、少なくとも吐水と排水の流量比率を同じにすれば十分初期設定の一定の供給電圧に対して生成されるｐＨ値を調整でき、吐水の比率が３：１より大きくなると初期設定の一定の供給電圧に対して生成されるｐＨ値を調整することができにくくなる傾向があるからである。
【００３８】
上記課題を解決するためになされた第２の発明は、電解槽に連通しアルカリイオン水又は酸性イオン水が排水される排水管を備えているアルカリイオン整水器であって、排水管に連通して分岐配設されたアルカリイオン水専用排水管と酸性イオン水専用排水管と、排水管又はアルカリイオン水専用排水管と酸性イオン水専用排水管に配設された流量調整部を備えた構成を有している。
【００３９】
この構成により、以下の作用を有する。
【００４０】
排水管に連通して分岐配設されたアルカリイオン水専用排水管と酸性イオン水専用排水管により、排水がアルカリイオン水か酸性イオン水か誤る虞がなく、利用者の用途に応じて簡便に使い分けできる。
【００４１】
排水管又はアルカリイオン水専用排水管と酸性イオン水専用排水管に配設された流量調
整部により排水流量を簡便に調整することができる。
【００４２】
排水管又はアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができる。
【００４３】
排水管又はアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができるため、電極板の電解電圧を上げて生成されるｐＨ値を調整する必要がなく、省エネルギー性及び電極板の耐久性を向上させることができる。
【００４４】
排水管又はアルカリイオン水専用排水管と酸性イオン水専用排水管に配設された流量調整部により、吐水と排水の流量比率を変更できるので、初期設定の一定の供給電圧に対して生成されるｐＨ値を簡便に調整することができるため、原水導電率を高めるためカルシウム化合物の添加量を増やす必要がなく、カルシウム化合物を節約することができる。
【００４５】
排水管又はアルカリイオン水専用排水管と酸性イオン水専用排水管に配設された流量調整部により、吐水と排水の流量比率を変更できるので、初期設定の一定の供給電圧で設定ｐＨ値のイオン水を十分に生成できる水質の場合は排水量を減らすことができ、水資源の節約性、経済性を向上させることができる。
【００４６】
ここで、排水管又はアルカリイオン水専用排水管と酸性イオン水専用排水管に配設された流量調整部としては、排水管又はアルカリイオン水専用排水管と酸性イオン水専用排水管の開閉度合いを調整する流量調整弁が用いられる。流量調整弁としては、手動式のものや電磁式等のものが好適に用いられ、流量調整弁の開閉度合いを調整することにより排水流量を調整することができる。また、電解槽に連通した排水管及びアルカリイオン水専用排水管と酸性イオン水専用排水管は吐水と排水の流量比率を１：１〜３：１にする径のものが好適に用いられる。排水量の比率が吐水量より多くなると水資源の節約性に欠け好ましくなく、少なくとも吐水と排水の流量比率を同じにすれば十分初期設定の一定の供給電圧に対して生成されるｐＨ値を調整でき、吐水の比率が３：１より大きくなると初期設定の一定の供給電圧に対して生成されるｐＨ値を調整することができにくくなる傾向があるからである。
【００４７】
上記課題を解決するためになされた第３の発明は、第１又は第２の発明に記載のアルカリイオン整水器であって、排水管に配設された流量調整部が、排水管に連通して並列に配設された少なくとも１以上の流量調整通水路と、流量調整通水路を開閉する通水路開閉弁と、を備えた構成を有している。
【００４８】
この構成により、第１又は第２の発明の作用に加え、以下のような作用を有する。
【００４９】
排水管に配設された流量調整部が備える排水管に連通して並列に配設された少なくとも１以上の流量調整通水路により、排水管を流れる排水を分流させることができる。
【００５０】
流量調整通水路を開閉する通水路開閉弁により、排水管の開閉度合いを調整することにより排水流量を調整する必要がなく、単に通水路開閉弁を開閉するだけで簡便に排水流量を調整できる。
【００５１】
ここで、流量調整通水路は一本でも複数本設けてもよく特に複数本設けた場合は流量調整を細かく多く設定でき好ましい。流量調整通水路は複数本設けた場合、同じ径のものを
用いてもよく、違う径のものを複数本設けた場合はいろいろな流量に設定することができ好ましい。また、通水路開閉弁としては手動式又は電磁式等のものが好適に用いられ、流量調整通水路を複数本設けた場合に全てに通水路開閉弁を設けてもよく、また、全てに設けなくとも排水流量は調整でき低コスト性に優れ好ましい。
【００５２】
また、排水管に開閉弁を設け、開閉弁を閉じて流量調整通水路に排水が全て流入するように形成し、通水路開閉弁を開閉することによって排水量を調整してもよく、排水管に開閉弁を設けず上下で流量調整通水路と連通している排水管の一部区間を上流側及び下流側の排水管より小さい径で形成することによって、排水量を減らす場合も簡便に簡単な構造で対応することができ低コスト性に優れ好ましい。排水管に開閉弁を設け、開閉弁を閉じて流量調整通水路に排水が全て流入するように形成した場合は流量調整通水路を流れる排水量は通水路開閉弁を開いた場合、排水管又は酸性イオン水専用排水管又はアルカリイオン専用排水管を流れる排水量と同じであり、排水管に開閉弁を配設せず、上下で流量調整通水路と連通している排水管の一部区間を上流側及び下流側の排水管より小さい径で形成した場合は流量調整通水路と排水管の一部区間を流れる排水量の和は排水管又は酸性イオン水専用排水管又はアルカリイオン専用排水管を流れる排水量と同じである。
【００５３】
上記課題を解決するためになされた第４の発明は、第２の発明に記載のアルカリイオン整水器であって、アルカリイオン水専用排水管と酸性イオン水専用排水管に配設された流量調整部が、アルカリイオン水専用排水管と酸性イオン水専用排水管に連通して並列に配設された少なくとも１以上の流量調整通水路と、流量調整通水路を開閉する通水路開閉弁と、を備えた構成を有している。
【００５４】
この構成により、第２の発明の作用に加え、以下のような作用を有する。
【００５５】
アルカリイオン水専用排水管と酸性イオン水専用排水管に配設された流量調整部が備えるアルカリイオン水専用排水管と酸性イオン水専用排水管に連通して並列に配設された少なくとも１以上の流量調整通水路により、アルカリイオン水専用排水管又は酸性イオン水専用排水管を流れる排水を分流させることができる。
【００５６】
流量調整通水路を開閉する通水路開閉弁により、アルカリイオン水専用排水管と酸性イオン水専用排水管の開閉度合いを調整することにより排水流量を調整する必要がなく、単に通水路開閉弁を開閉するだけで簡便に排水流量を調整できる。
【００５７】
ここで、流量調整通水路は一本でも複数本設けてもよく特に複数本設けた場合は流量調整を細かく多く設定でき好ましい。流量調整通水路は複数本設けた場合、同じ径のものを用いてもよく、違う径のものを複数本設けた場合はいろいろな流量に設定することができ好ましい。また、通水路開閉弁としては手動式又は電磁式等のものが好適に用いられ、流量調整通水路を複数本設けた場合に全てに通水路開閉弁を設けてもよく、また、全てに設けなくとも排水流量は調整でき低コスト性に優れ好ましい。
【００５８】
また、アルカリイオン水専用排水管と酸性イオン水専用排水管に開閉弁を設け、開閉弁を閉じて流量調整通水路に排水が全て流入するように形成し、通水路開閉弁を開閉することによって排水量を調整してもよく、アルカリイオン水専用排水管と酸性イオン水専用排水管に開閉弁を、上下で流量調整通水路と連通しているアルカリイオン水専用排水管又は酸性イオン水専用排水管の一部区間を上流側及び下流側のアルカリイオン水専用排水管又は酸性イオン水専用排水管より小さい径で形成することによって、排水量を減らす場合も簡便に簡単な構造で対応することができ低コスト性に優れ好ましい。アルカリイオン水専用排水管又は酸性イオン水専用排水管に開閉弁を設け、開閉弁を閉じて流量調整通水路に排水が全て流入するように形成した場合は流量調整通水路を流れる排水量は通水路開閉弁
を開いた場合、排水管又は酸性イオン水専用排水管又はアルカリイオン専用排水管を流れる排水量と同じであり、排水管に開閉弁を設けず上下で流量調整通水路と連通している酸性イオン水専用排水管又はアルカリイオン専用排水管の一部区間を上流側及び下流側の酸性イオン水専用排水管又はアルカリイオン専用排水管より小さい径で形成した場合は流量調整通水路と酸性イオン水専用排水管又はアルカリイオン専用排水管の一部区間を流れる排水量の和は排水管又は酸性イオン水専用排水管又はアルカリイオン専用排水管を流れる排水量と同じである。
【００５９】
（実施の形態１）
以下、本発明の実施の形態について、各図に基づいて説明する。
【００６０】
図１は本発明の実施の形態１におけるアルカリイオン整水器の概略構造図である。
【００６１】
図１中、１は水道水等の原水管２に水栓３を介して接続されたアルカリイオン整水器、４は浄水部、５は流量検知手段、６はカルシウム供給部、７は電解槽、８は隔膜、９及び１０は電極板、１１は排水管、１２は酸性イオン水専用排水管、１３はアルカリイオン水専用排水管、１４は電磁弁を用いた酸性イオン水側開閉弁、１５は電磁弁を用いたアルカリイオン水側開閉弁、１６は吐水菅、１７は電源投入用プラグ、１８は電源部、１９はコントローラ、２０は操作表示部であり、従来のアルカリイオン整水器において説明したものと同様のものであるため同一の符号をつけて説明を省略するが、吐水管１６及び排水管１１と酸性イオン水専用排水管１２、アルカリイオン水専用排水管１３については、吐水と排水の流量比率が１：１〜３：１になるような径で形成している。２１は排水管１１に配設された排水量を調整する流量調整部、２２は排水管１１の径を小さく形成した排水管小径部、２３は排水管１１に連通して排水管小径部２２に並列に配設された流量調整通水路（中）、２４は排水管１１連通して排水管小径部２２及び流量調整通水路（中）２３に並列に配設された流量調整通水路（大）、２５は流量調整通水路（中）２３を開閉する電磁弁を用いた通水路開閉弁（中）、２６は流量調整通水路（大）２４を開閉する電磁弁を用いた通水路開閉弁（大）である。
【００６２】
ここで実施の形態１においては流量調整通水路（中）２３は排水管小径部２２より大きい径のものを、流量調整通水路（大）２４は流量調整通水路（中）２３よりも径の大きいものを用いた。また、排水管小径部２２と流量調整通水路（中）２３と流量調整通水路（大）２４を流れる排水量の和は、通水路開閉弁（中）２５及び通水路開閉弁（大）を開いた場合において、排水管１１又は酸性イオン水専用排水管１２又はアルカリイオン専用排水管１３を流れる排水量と同じである。
【００６３】
次に、以上のように構成された実施の形態１におけるアルカリイオン整水器の排水の流量調整について説明する。
【００６４】
（表１）は本発明の実施の形態１におけるアルカリイオン整水器の開閉弁の開閉を示すものである。
【００６５】
【表１】
2006082022.tif 000003
【００６６】
アルカリイオン水生成モード時においては電極板９が陰極かつ電極板１０が陽極となり吐水管１６よりアルカリイオン水が吐出され、排水管１１を通り酸性イオン水が排出される。この酸性イオン水は、酸性イオン水側開閉弁１４を「開」、アルカリイオン水側開閉弁１５を「閉」、通水路開閉弁（中）２５を「開」、通水路開閉弁（大）２５を「閉」とすることにより、排水管１１から排水管小径部２２と流量調整通水路（中）２３を通り、酸性イオン水専用排水管１２より排出される。
【００６７】
この時、吐水と排水の流量比率は３：１〜５：１となり、これを標準モードとする。この場合、従来のアルカリイオン整水器と同等の流量比率であり、初期設定の一定の供給電圧において、従来のアルカリイオン整水器と同等のｐH値のアルカリイオン水が得られる。
【００６８】
次に、酸性イオン水側開閉弁１４を「開」、アルカリイオン水側開閉弁１５を「閉」、通水路開閉弁（中）２５を「開」、通水路開閉弁（大）２５を「開」とすることにより、排水管１１から排水管小径部２２と流量調整通水路（中）２３と流量調整通水路（大）２４を通り、酸性イオン水専用排水管１２より酸性イオン水が排出される。
【００６９】
この時、吐水と排水の流量比率は１：１〜３：１となり、これを強電解モードとする。この場合、排水の流量比率が増すことにより、吐水と排水の流量比率が変更できるので、設定ｐＨ値のイオン水を十分に生成できない水質においても初期設定の一定の供給電圧に対して生成されるｐＨ値を簡便に調整することができ、従来のアルカリイオン整水器より高いｐＨ値のアルカリイオン水を生成することが可能となる。
【００７０】
次に、酸性イオン水側開閉弁１４を「開」、アルカリイオン水側開閉弁１５を「閉」、通水路開閉弁（中）２５を「閉」、通水路開閉弁（大）２５を「閉」とすることにより、排水管１１から排水管小径部２２を通り、酸性イオン水専用排水管１２より酸性イオン水が排出される。
【００７１】
この時、吐水と排水の流量比率は５：１〜１０：１となり、これを節水モードとする。この場合、排水の流量比率が減少することにより、吐水と排水の流量比率を変更できるので、初期設定の一定の供給電圧で設定ｐＨ値のイオン水を十分に生成できる水質の場合は排水量を減らすことができ、初期設定の一定電圧の供給において、従来のアルカリイオン整水器と同等のｐＨ値のアルカリイオン水を生成したまま、排水量を削減することが可能となる。
【００７２】
酸性イオン水生成モード時においては電極板９が陽極かつ電極板１０が陰極となり吐水管１６より酸性イオン水が吐出され、排水管１１を通りアルカリイオン水が排出される。このアルカリイオン水は、酸性イオン水側開閉弁１４を「閉」、アルカリイオン水側開閉弁１５を「開」、通水路開閉弁（中）２５を「開」、通水路開閉弁（大）２６を「閉」とすることにより、排水管１１から排水管小径部２２と流量調整通水路（中）２３を通り、アルカリイオン水専用排水管１３より排出される。
【００７３】
この時、吐水と排水の流量比率は３：１〜５：１となり、これを標準モードとする。この場合、従来のアルカリイオン整水器と同等の流量比率であり、初期設定の一定の供給電圧において、従来のアルカリイオン整水器と同等のｐH値の酸性イオン水が得られる。
次に、酸性イオン水側開閉弁１４を「閉」、アルカリイオン水側開閉弁１５を「開」、通水路開閉弁（中）２５を「開」、通水路開閉弁（大）２５を「開」とすることにより、排水管１１から排水管小径部２２と流量調整通水路（中）２３と流量調整通水路（大）２４を通り、アルカリイオン水専用排水管１３よりアルカリイオン水が排出される。
【００７４】
この時、吐水と排水の流量比率は１：１〜３：１となり、これを強電解モードとする。
【００７５】
この場合、排水の流量比率が増すことにより、吐水と排水の流量比率が変更できるので、設定ｐＨ値のイオン水を十分に生成できない水質においても初期設定の一定の供給電圧に対して生成されるｐＨ値を簡便に調整することができ、従来のアルカリイオン整水器より低いｐＨ値の酸性イオン水を生成することが可能となる。
【００７６】
次に、酸性イオン水側開閉弁１４を「閉」、アルカリイオン水側開閉弁１５を「開」、通水路開閉弁（中）２５を「閉」、流量調整弁２６を「閉」とすることにより、排水管１１から排水管小径部２２を通り、アルカリイオン水専用排水管１３よりアルカリイオン水が排出される。
【００７７】
この時、吐水と排水の流量比率は５：１〜１０：１となり、これを節水モードとする。この場合、排水の流量比率が減少することにより、吐水と排水の流量比率を変更できるので、初期設定の一定の供給電圧で設定ｐＨ値のイオン水を十分に生成できる水質の場合は排水量を減らすことができ、初期設定の一定電圧の供給において、従来のアルカリイオン整水器と同等のｐＨ値の酸性イオン水を生成したまま、排水量を削減することが可能となる。
【００７８】
また、浄水モード時においては電極板９及び１０には電力が供給されず吐水管１６より浄水が吐出される。この時、酸性イオン水側開閉弁１４、アルカリイオン水側開閉弁１５、通水路開閉弁（中）２５、通水路開閉弁（大）２６の全て「閉」となり、排水管１１より排水されない。
【００７９】
以上のように本発明の実施の形態１におけるアルカリイオン整水器は構成されているので以下のような作用を有する。
【００８０】
排水管１１に連通して分岐配設された酸性イオン水専用排水管１２とアルカリイオン水専用排水管１３により、排水がアルカリイオン水か酸性イオン水か誤る虞がなく、利用者の用途に応じて簡便に使い分けできる。
【００８１】
排水管１１に配設された流量調整部２１により排水流量を簡便に調整することができる。
【００８２】
排水管１１に配設された流量調整部２１により、吐水と排水の流量比率を変更できるので、初期設定の一定の供給電圧に対して生成されるｐＨ値を簡便に調整することができる。
【００８３】
排水管１１に配設された流量調整部２１により、吐水と排水の流量比率を変更できるので、初期設定の一定の供給電圧に対して生成されるｐＨ値を簡便に調整することができるため、電極板９、１０の電解電圧を上げて生成されるｐＨ値を調整する必要がなく、省エネルギー性及び電極板９、１０の耐久性を向上させることができる。
【００８４】
排水管１１に配設された流量調整部２１により、吐水と排水の流量比率を変更できるので、初期設定の一定の供給電圧に対して生成されるｐＨ値を簡便に調整することができるため、原水導電率を高めるためカルシウム化合物の添加量を増やす必要がなく、カルシウム化合物を節約することができる。
【００８５】
排水管１１に配設された流量調整部２１により、吐水と排水の流量比率を変更できるので、初期設定の一定の供給電圧で設定ｐＨ値のイオン水を十分に生成できる水質の場合は排水量を減らすことができ、水資源の節約性、経済性を向上させることができる。
【００８６】
排水管１１に配設された流量調整部２１が備える排水管に連通して並列に配設された流量調整通水路（中）２３、流量調整通水路（大）２４により、排水管１１を流れる排水を分流させることができる。
【００８７】
流量調整通水路（中）２３を開閉する通水路開閉弁（中）２５及び流量調整通水路（大）２４を開閉する通水路開閉弁（大）２６により、排水管１１の開閉度合いを調整することにより排水流量を調整する必要がなく、単に通水路開閉弁（中）２５及び通水路開閉弁（大）２６を開閉するだけで簡便に排水流量を調整できる。
【００８８】
（実施の形態２）
図２は本発明の実施の形態２におけるアルカリイオン整水器の流量調整部の概略構造図である。
【００８９】
図２中、１２は酸性イオン水専用排水管、１３はアルカリイオン水専用排水管、１４は酸性イオン水側開閉弁、１５はアルカリイオン水側開閉弁であり、実施の形態１において説明したものと同様のものであるため同一の符号をつけて説明を省略するが、実施の形態２においても排水管１１と酸性イオン水専用排水管１２、アルカリイオン水専用排水管１３については、吐水と排水の流量比率が１：１〜３：１になるような径で形成している。２１ａは排水量を調整する流量調整部、２７は排水管１１に連通して分岐配設された酸性イオン水専用排水管１２の径を小さく形成した酸性イオン水専用排水管小径部、２８は酸性イオン水専用排水管１２に連通して酸性イオン水専用排水管小径部２７に並列に配設された酸性イオン水の流量調整通水路、２９は排水管１１に連通して分岐配設されたアルカリイオン水専用排水管１３の径を小さく形成したアルカリイオン水専用排水管小径部、３０はアルカリイオン水専用排水管１３に連通してアルカリイオン水専用排水管小径部２９に並列に配設されたアルカリイオン水の流量調整通水路、３１は酸性イオン水の流量調整通水路２８を開閉し、酸性イオン水の流量を調整する電磁弁を用いた酸性イオン水の通水路開閉弁、３２はアルカリイオン水の流量調整通水路３０を開閉し、アルカリイオン水の流量を調整する電磁弁を用いたアルカリイオン水の通水路開閉弁である。
【００９０】
ここで実施の形態２においては、酸性イオン水の流量調整通水路２８は排水管１１に連通して分岐配設された酸性イオン水専用排水管１２の径を小さく形成した酸性イオン水専用排水管小径部２７より径の大きく、排水管１１及び酸性イオン水専用排水管１２よりも
小さいものを用い、アルカリイオン水の流量調整通水路３０は排水管１１に連通して分岐配設されたアルカリイオン水専用排水管１３の径を小さく形成したアルカリイオン水専用排水管小径部２９より径の大きく、排水管１１及びアルカリイオン水専用排水管１３より径の小さいものを用いた。また、酸性イオン水専用排水管小径部２７と酸性イオン水の流量調整通水路２８を流れる排水量の和は、酸性イオン水側開閉弁１４及び酸性イオン水の通水路開閉弁３１を開いた場合において、排水管１１又は酸性イオン水専用排水管１２を流れる排水量と同じであり、アルカリイオン水専用排水管小径部２９とアルカリイオン水の流量調整通水路３０を流れる排水量の和は、アルカリイオン水側開閉弁１５及びアルカリイオン水の通水路開閉弁３２を開いた場合において、排水管１１又はアルカリイオン水専用排水管１３を流れる排水量と同じである。
【００９１】
次に、以上のように構成された実施の形態２におけるアルカリイオン整水器の排水の流量調整について説明する。
【００９２】
（表２）は本発明の実施の形態２におけるアルカリイオン整水器の開閉弁の開閉を示すものである。
【００９３】
【表２】
2006082022.tif 000004
【００９４】
アルカリイオン水生成モード時においては排水管１１を通り酸性イオン水が排出される。この酸性イオン水は、酸性イオン水側開閉弁１４を「閉」、アルカリイオン水側開閉弁１５を「閉」、酸性イオン水の通水路開閉弁３１を「開」、アルカリイオン水の通水路開閉弁３２を「閉」とすることにより、排水管１１から酸性イオン水の流量調整通水路２８を通り、酸性イオン水専用排水管１２より排出される。
【００９５】
この時、吐水と排水の流量比率は３：１〜５：１となり、これを標準モードとする。この場合、従来のアルカリイオン整水器と同等の流量比率であり、初期設定の一定の供給電圧において、従来のアルカリイオン整水器と同等のｐH値のアルカリイオン水が得られる。
【００９６】
次に、酸性イオン水側開閉弁１４を「開」、アルカリイオン水側開閉弁１５を「閉」、酸性イオン水の通水路開閉弁３１を「開」、アルカリイオン水の通水路開閉弁３２を「閉」とすることにより、排水管１１から酸性イオン水専用排水管小径部２７と酸性イオン水の流量調整通水路２８を通り、酸性イオン水専用排水管１２より排出される。
【００９７】
この時、吐水と排水の流量比率は１：１〜３：１となり、これを強電解モードとする。
この場合、排水の流量比率が増すことにより、吐水と排水の流量比率が変更できるので、設定ｐＨ値のイオン水を十分に生成できない水質においても初期設定の一定の供給電圧に対して生成されるｐＨ値を簡便に調整することができ、従来のアルカリイオン整水器より高いｐＨ値のアルカリイオン水を生成することが可能となる。
【００９８】
次に、酸性イオン水側開閉弁１４を「開」、アルカリイオン水側開閉弁１５を「閉」、酸性イオン水の通水路開閉弁３１を「閉」、アルカリイオン水の通水路開閉弁３２を「閉」とすることにより、排水管１１から酸性イオン水専用排水管小径部２７を通り、酸性イオン水専用排水管１２より酸性イオン水が排出される。
【００９９】
この時、吐水と排水の流量比率は５：１〜１０：１となり、これを節水モードとする。この場合、排水の流量比率が減少することにより、吐水と排水の流量比率を変更できるので、初期設定の一定の供給電圧で設定ｐＨ値のイオン水を十分に生成できる水質の場合は排水量を減らすことができ、初期設定の一定電圧の供給において、従来のアルカリイオン整水器と同等のｐＨ値のアルカリイオン水を生成したまま、排水量を削減することが可能となる。
【０１００】
酸性イオン水生成モード時においては排水管１１を通りアルカリイオン水が排出される。このアルカリイオン水は、酸性イオン水側開閉弁１４を「閉」、アルカリイオン水側開閉弁１５を「閉」、酸性イオン水の通水路開閉弁３１を「閉」、アルカリイオン水の通水路開閉弁３２を「開」とすることにより、排水管１１からアルカリイオン水の流量調整通水路３０を通り、アルカリイオン水専用排水管１３より排出される。この時、吐水と排水の流量比率は３：１〜５：１となり、これを標準モードとする。
【０１０１】
この場合、従来のアルカリイオン整水器と同等の流量比率であり、初期設定の一定の供給電圧において、従来のアルカリイオン整水器と同等のｐH値の酸性イオン水が得られる。
【０１０２】
次に、酸性イオン側弁１４を「閉」、アルカリイオン水側開閉弁１５を「開」、酸性イオン水の通水路開閉弁３１を「閉」、アルカリイオン水の通水路開閉弁３２を「開」とすることにより、排水管１１からアルカリイオン水専用排水管小径部２９とアルカリイオン水の流量調整通水路３０を通り、アルカリイオン水専用排水管１３よりアルカリイオン水が排出される。この時、吐水と排水の流量比率は１：１〜３：１となり、これを強電解モードとする。
【０１０３】
この場合、排水の流量比率が増すことにより、吐水と排水の流量比率が変更できるので、設定ｐＨ値のイオン水を十分に生成できない水質においても初期設定の一定の供給電圧に対して生成されるｐＨ値を簡便に調整することができ、従来のアルカリイオン整水器より低いｐＨ値の酸性イオン水を生成することが可能となる。
【０１０４】
次に、酸性イオン水側開閉弁１４を「閉」、アルカリイオン水側開閉弁１５を「開」、酸性イオン水の通水路開閉弁３１を「閉」、アルカリイオン水の通水路開閉弁３２を「閉」とすることにより、排水管１１からアルカリイオン水専用排水管小径部２９を通り、アルカリイオン水専用排水管１３よりアルカリイオン水が排出される。
【０１０５】
この時、吐水と排水の流量比率は５：１〜１０：１となり、これを節水モードとする。この場合、排水の流量比率が減少することにより、吐水と排水の流量比率を変更できるので、初期設定の一定の供給電圧で設定ｐＨ値のイオン水を十分に生成できる水質の場合は排水量を減らすことができ、初期設定の一定電圧の供給において、従来のアルカリイオン整水器と同等のｐＨ値の酸性イオン水を生成したまま、排水量を削減することが可能とな
る。
【０１０６】
また、浄水モード時においては酸性イオン水側開閉弁１４、アルカリイオン水側開閉弁１５、酸性イオン水の通水路開閉弁３１、アルカリイオン水の通水路開閉弁３２の全て「閉」となり、排水管１１より水は排水されない。
【０１０７】
以上のように本発明の実施の形態２におけるアルカリイオン整水器は構成されているので以下のような作用を有する。
【０１０８】
排水管１１に連通して分岐配設された酸性イオン水専用排水管１２とアルカリイオン水専用排水管１３により、排水がアルカリイオン水か酸性イオン水か誤る虞がなく、利用者の用途に応じて簡便に使い分けできる。
【０１０９】
酸性イオン水専用排水管１２とアルカリイオン水専用排水管１３に配設された流量調整部２１ａにより排水流量を簡便に調整することができる。
酸性イオン水専用排水管１２とアルカリイオン水専用排水管１３に配設された流量調整部２１ａにより、吐水と排水の流量比率を変更できるので、初期設定の一定の供給電圧に対して生成されるｐＨ値を簡便に調整することができる。
【０１１０】
酸性イオン水専用排水管１２とアルカリイオン水専用排水管１３に配設された流量調整部２１ａにより、吐水と排水の流量比率を変更できるので、初期設定の一定の供給電圧に対して生成されるｐＨ値を簡便に調整することができるため、電極板９、１０の電解電圧を上げて生成されるｐＨ値を調整する必要がなく、省エネルギー性及び電極板９、１０の耐久性を向上させることができる。
【０１１１】
酸性イオン水専用排水管１２とアルカリイオン水専用排水管１３に配設された流量調整部２１ａにより、吐水と排水の流量比率を変更できるので、初期設定の一定の供給電圧に対して生成されるｐＨ値を簡便に調整することができるため、原水導電率を高めるためカルシウム化合物の添加量を増やす必要がなく、カルシウム化合物を節約することができる。
【０１１２】
酸性イオン水専用排水管１２とアルカリイオン水専用排水管１３に配設された流量調整部２１ａにより、吐水と排水の流量比率を変更できるので、初期設定の一定の供給電圧で設定ｐＨ値のイオン水を十分に生成できる水質の場合は排水量を減らすことができ、水資源の節約性、経済性を向上させることができる。
【０１１３】
酸性イオン水専用排水管１２とアルカリイオン水専用排水管１３に配設された流量調整部２１ａが備える酸性イオン水専用排水管１２とアルカリイオン水専用排水管１３に連通して並列に配設された酸性イオン水の流量調整通水路２８、アルカリイオン水の流量調整通水路により、酸性イオン水専用排水管１２又はアルカリイオン水専用排水管１３を流れる排水を分流させることができる。
【０１１４】
酸性イオン水専用排水管小径部２７を開閉する酸性イオン水側開閉弁１４及び酸性イオン水の流量調整通水路２８を開閉する酸性イオン水の通水路開閉弁３１により、酸性イオン水専用排水管１２の開閉度合いを調整することにより排水流量を調整する必要がなく、単に酸性イオン水側開閉弁１４及び酸性イオン水の通水路開閉弁３１を開閉するだけで簡便に酸性イオン水の排水流量を調整できる。
【０１１５】
アルカリイオン水専用排水管小径部２９を開閉するアルカリイオン水側開閉弁１５及びアルカリイオン水の流量調整通水路３０を開閉するアルカリイオン水の通水路開閉弁３２
により、アルカリイオン水専用排水管１３の開閉度合いを調整することにより排水流量を調整する必要がなく、単にアルカリイオン水側開閉弁１５及びアルカリイオン水の通水路開閉弁３２を開閉するだけで簡便にアルカリイオン水の排水流量を調整できる。
【産業上の利用可能性】
【０１１６】
排水量を調整することにより、吐水と排水の流量の比率を変更できるので、設定ｐＨ値のイオン水を十分に生成できない水質においても初期設定の一定の供給電圧に対して生成されるｐＨ値を簡便に調整することができ対応性、使用性に優れ、電極板の電解電圧を上げる必要がなく省エネルギー性に優れ、カルシウム化合物の添加量の使用を抑えることができ、設定ｐＨ値のイオン水を十分に生成できる水質においては排水量を減らすことができる経済性、使用性に優れたアルカリイオン整水器を提供することができる。
【図面の簡単な説明】
【０１１７】
【図１】本発明の実施の形態１におけるアルカリイオン整水器の概略構造図
【図２】本発明の実施の形態２におけるアルカリイオン整水器の流量調整部の概略構造図
【図３】従来のアルカリイオン整水器の概略構造図
【符号の説明】
【０１１８】
１    アルカリイオン整水器
２    原水管
３    水栓
４    浄水部
５    流量検知手段
６    カルシウム供給部
７    電解槽
８    隔膜
９、１０    電極板
１１    排水管
１２    酸性イオン水専用排水管
１３    アルカリイオン水専用排水管
１４    酸性イオン水側開閉弁
１５    アルカリイオン水側開閉弁
１６    吐水菅
１７    電源投入用プラグ
１８    電源部
１９    コントローラ
２０    操作表示部
２１、２１ａ    流量調整部
２２    排水管小径部
２３    流量調整通水路（中）
２４    流量調整通水路（大）
２５    通水路開閉弁（中）
２６    通水路開閉弁（大）
２７    酸性イオン水専用排水管小径部
２８    酸性イオン水の流量調整通水路
２９    アルカリイオン水専用排水管小径部
３０    アルカリイオン水の流量調整通水路
３１    酸性イオン水の通水路開閉弁
３２    アルカリイオン水の通水路開閉弁
【図１】
2006082022.tif 000005
【図２】
2006082022.tif 000006
【図３】
2006082022.tif 000007